(57)【要約】【課題】  本発明は、市販のイヤホンをそのまま利用しつつ、イヤホンヘッドを携帯音楽端末に着脱自在に定着せしめ、巻き付けせずにコードの断線のおそれを低減させてイヤホンの絡みを防止し、且つ携帯音楽端末の片手による把持を安定化させる把持部材を備え、イヤホンを保持しない時にはスタンドにも応用できる多機能なイヤホン保持具を提供することを目的とする。【解決手段】  開示のイヤホン保持具は、イヤホンヘッドの根元のコード部分を挟持せしめるため少なくとも携帯音楽端末の裏面に着脱自在な板状で、且つスタンド使用時のためのストッパーを有する下挟部材と、下挟部材表面上に置かれたイヤホンコードを押止する滑り止め部を備え、板状且つ柔軟な性質で、イヤホンを保持しない時にはスタンドにも利用できる上挟部材、上挟部材表面に着脱自在に装着される中空状の把持部材の三部材から構成され、それぞれを結合させる取着部には雄雌ホックが装着されることを特徴とする。【選択図】図１
2014078921.tif 000002
【特許請求の範囲】
【請求項１】
携帯音楽端末にイヤホンプラグを装着させたまま、前記携帯音楽端末裏面上にイヤホンヘッドを拘止させ、且つ片手での携帯音楽端末本体の把持を安全且つ安定化させるための着脱自在な把持部材を備え、イヤホンヘッドを拘止しない時はスタンドにも応用できる多機能なイヤホン保持具であって、イヤホンヘッドの根元のコード部分を挟持せしめるため、少なくとも前記携帯音楽端末の裏面に対して板状で着脱自在な下挟部材と、下挟部材表面上に置かれたイヤホンコードを押止し定着させるための板状且つ柔軟な性質を持つ上挟部材、上挟部材表面に着脱自在に結合される中空状の把持部材の三つの部材から構成され、前記上挟部材と下挟部材の間を結合させる取着部はそれぞれ複数箇所必要とすることを特徴とするイヤホン保持具。
【請求項２】
前記三部材のそれぞれの間を結合させる取着部にはお互いを固定可能で着脱自在な雄ホックと雌ホックの一方が装着されていることを特徴とする請求項１に記載のイヤホン保持具。
【請求項３】
前記上挟部材の基部裏面の各取着部同士との間にイヤホンコードを定着させるための滑り止め部を有することを特徴とする請求項１又は２に記載のイヤホン保持具。
【請求項４】
前記下挟部材と上挟部材との結合を一箇所に限定し、その箇所を回転軸として前記上挟部材を回動せしめスタンドとして使用する時に、所定の位置で停止させるため回転軸になる取着部の斜め横に回動の行き過ぎを防止するストッパー部を装備することを特徴とする請求項１、２、及び３に記載のイヤホン保持具。
【発明の詳細な説明】
【技術分野】
【０００１】  本発明は未使用時のイヤホンコードの保持及び携帯音楽端末機器操作上の利便性向上に関するものである。
【背景技術】
【０００２】  近年、携帯専用音楽プレーヤーに加え、昨今ではスマートフォンなどの携帯専用通信機器を使用して気軽にイヤホンで音楽を聴いている人たちが多い。（携帯専用音楽プレーヤー、携帯専用通信機器などこれらを総称して以下では携帯音楽端末と言うことにする。）こうした携帯音楽端末は、年々技術進化して、音楽だけでなく、画面で映像なども楽しめるようになってきたため、映像を見やすいように手軽に机上に携帯音楽端末を立てる後付け可能なスタンドが、携帯音楽端末用の周辺機器の中で需要が高まっている。
また、近年の携帯音楽端末は、画面を指でタッチして操作するタイプが急増しており、手軽に片手だけで画面にタッチして操作する人も増えてきているが、画面の大型化に伴い本体の寸法が大きくなるため、機器本体を片手で保持しながら画面を操作することが困難になりつつあり、場合によっては落下の危険性も心配されている。その結果、本体裏面に手軽に指を挿入して安全に保持可能なホルダーの需要が、周辺機器の中で増加してきた。【０００３】  一方でイヤホンを使用しない時、多くの人は鞄やポケットの中にそのまま収納している。
再び使用する時に取り出すと、大抵イヤホンコードに結び目が発生し、それを解くのには、場合によってはかなりの労力と時間をついやさねばならない。
その対策として多くの人は、イヤホンコードを携帯音楽端末本体か、専用のグッズに巻きつけてコードの縺れを解消している。
そうした状況下、未使用時のイヤホンコードの絡みを防止する技術について、多数の提案がなされている（特許文献１乃至７）。
【先行技術文献】
【特許文献】
【０００４】
【特許文献１】実用新案登録第３１６２５６４号公報
【特許文献２】特開２００８−３０１４６１号公報
【特許文献３】特開２００５−２５２５７９号公報
【特許文献４】特開２０００−１８４４８５号公報
【特許文献５】特開平１１−２５２６７８号公報
【特許文献６】特開２００９−２９０４９６号公報
【特許文献７】特許番号  特許第５００１４５４号
【発明の概要】
【発明が解決しようとする課題】
【０００５】  しかしながら、特許文献１に記載の技術においては、カバーが携帯音楽端末を覆い、当該端末にイヤホンを巻き付けるため、収納・使用再開までに手間が掛かる、イヤホンコードを携帯音楽端末に巻き付けることによる断線のおそれがあるなどの問題点が有った。
また、特許文献２に記載の技術においては、イヤホンの改良が必要であるなどの問題点が有った。
また、特許文献３に記載の技術においては、イヤホンの改良が必要である、両耳用のイヤホンで使用できないなどの問題点が有った。
また、特許文献４に記載の技術においては、イヤホンの改良が必要であるなどの問題点が有った。【０００６】  また、特許文献５に記載の技術においては、イヤホンの改良が必要であるなどの問題点が有った。【０００７】  また、特許文献６に記載の技術においては、イヤホンコードを携帯音楽端末に巻き付けることによる断線のおそれがあるなどの問題点が有った。【０００８】  また、特許文献７に記載の技術においては、以上と異なりコードを巻きつけずにイヤホンコードを環状にすることで絡ませない希有な発明であるが、イヤホンコードを収束する部分に滑り止めがなく、きちんとイヤホンコードが固定されない可能性があり、カバンやポケットに収納しての移動中にコードが滑りイヤホンヘッドが収納バンドから長く飛び出してコードの環状が破れ、結果コードの絡みが発生する恐れがある。【０００９】  また、携帯音楽端末の周辺機器としてスタンドやホルダーも市販されてきているが、これらは一部を除き単独の機能しか持たないものが多く、ましてイヤホンコード絡み防止のための機能も兼ね備えたものは皆無であるため、使用者はこれらの解決のためには複数の製品を購入しなければならなかった。
そこで、上記問題に鑑み、本発明は、市販のイヤホンをそのまま利用しながら、イヤホンヘッドを携帯音楽端末に着脱自在に定着せしめ、巻き付けせずにコードの断線のおそれを低減させてイヤホンの絡みを防止し、且つ携帯音楽端末の片手による安全な把持を促進する把持部材を備え、イヤホンを保持しない時にはスタンドにも応用できる多機能なイヤホン保持具を提供することを目的とする。
【課題を解決するための手段】
【００１０】  開示するイヤホン保持具の一形態は、携帯音楽端末にイヤホンプラグを装着させたまま、前記携帯音楽端末裏面上にイヤホンヘッドを拘止させ、且つ片手での携帯音楽端末本体の把持を安全且つ安定化させるための着脱自在な把持部材を備え、イヤホンヘッドを拘止しない時はスタンドにも応用できる多機能なイヤホン保持具であって、イヤホンヘッドの根元のコード部分を挟持せしめるため少なくとも前記携帯音楽端末の裏面に対して着脱自在な板状の下挟部材と、下挟部材表面上に置かれたイヤホンコードを押止し定着させるための板状且つ柔軟な性質を持つ上挟部材、上挟部材表面に着脱自在に装着される中空状の把持部材の三つの部材から構成され、前記上挟み部材と下挟部材の間を結合させる取着部はそれぞれ複数箇所必要とすることを特徴とする。【００１１】  また、開示するイヤホン保持具の一形態は、前記三部材のそれぞれの間を結合させる取着部にお互いを固定可能で着脱自在な雄ホックと雌ホックの一方が装着されていることを特徴とする。【００１２】  また、開示するイヤホン保持具の一形態は、前記上挟部材の基部裏面の各取着部同士との間にイヤホンコードを定着させるための滑り止め部を有することを特徴とする。【００１３】  また、開示するイヤホン保持具の一形態は、前記下挟部材と上挟部材との結合を一箇所に限定し、その箇所を回転軸として前記上挟部材を回動せしめスタンドとして使用する時に、所定の位置で停止させるため回転軸になる取着部の斜め横に回動の行き過ぎを防止するストッパー部を装備することを特徴とする。
【発明の効果】
【００１４】  開示するイヤホン保持具は、市販のイヤホンをそのまま利用しつつ、収納・使用再開時の手間が少なく、収納形態に基づくコード内断線のおそれも低い状態で、未使用時、携帯音楽端末に装着したイヤホンの絡みが防止出来るとともに、携帯音楽端末の片手による把持を安定化させる把持部材を備え、イヤホンを保持しない時にはスタンドにも応用できる。
【図面の簡単な説明】
【００１５】
【図１】本実施の形態に係るイヤホン保持具の使用状態を示す図である。
【図２】本実施の形態に係るイヤホン保持具の分解状態を示す図である。
【図３】本実施の形態に係るイヤホン保持具（把持部材）の側面図である。
【図４】本実施の形態に係るイヤホン保持具（上挟部材）の側面図である。
【図５】本実施の形態に係るイヤホン保持具（上挟部材）の基部表面図である。
【図６】本実施の形態に係るイヤホン保持具（上挟部材）の基部裏面図である。
【図７】本実施の形態に係るイヤホン保持具のスタンドでの使用状態の正面図である。
【図８】本実施の形態に係るイヤホン保持具のスタンドでの使用状態の斜視図である。
【図９】本実施の形態に係るイヤホン保持具の把持部材の使用状態を示す図である。
【図１０】本実施の形態に係るイヤホン保持具の他の器具類との結合を示す図である。
【発明を実施するための形態】
【００１６】  図面を参照しながら、本発明を実施するための形態について説明する。
（携帯音楽端末に装着したイヤホンが絡まる原因）
【００１７】  一般に携帯音楽端末３を使用しないとき、イヤホン２ごと鞄やポケットに収納し、必要なときに取り出して使用する。そのとき、イヤホンコード５が絡み合ってそれを解くのに大変な労力を費やし、絡み合ったイヤホンコード５を解き、携帯音楽端末３の使用を開始するまでに長い時間が掛かる場合も多々あったりする。
【００１８】  上記のように、イヤホン２が絡み合う原因は、イヤホンヘッド４が二股に分かれていることに加え、イヤホンコード５が長いため、収納時にイヤホンヘッド４が移動自在となっていることに有るものと考える。
【００１９】  そこで、本実施の形態に係るイヤホン保持具１は、収納時のイヤホンヘッド４の根元のコードを固定することによって、イヤホンヘッド４の移動を制限し、未使用時の携帯音楽端末３に装着したイヤホン２が絡み合うことを防止するものである。
（本実施の形態に係るイヤホン保持具の構造）
図１乃至図７を用いて、本実施の形態に係るイヤホン保持具１について説明する。図１及び図２は、イヤホン保持具１の使用状態及び分解状態を示す図である。
【００２０】  図１又は図２で示すように、イヤホン保持具１は、携帯音楽端末３に着脱自在に装着できる上下挟部材及び把持部材からなる器具である。また、携帯音楽端末３が備えるイヤホンジャックにイヤホンプラグ６を挿し込んだ状態で、イヤホン保持具１は使用する。そして、イヤホン保持具１は、上下挟部材によってコードを固定しイヤホンヘッド４を携帯音楽端末３に拘止させた状態を保持させ、また、イヤホン保持具１は、イヤホンコード（イヤホン２）を環状態に形成させ、その状態を保持させる。
【００２１】  こうすることによって、イヤホン保持具１は、収納時のイヤホンヘッド４の移動を制限するため、未使用時の携帯音楽端末３に装着したイヤホン５が絡み合うことを防止することができる。なお、イヤホン保持具１は、既存のイヤホン２を使用することができるため、この器具を新たに製作する手間を省くことができる。また、イヤホン保持具１は、イヤホン２の先端部を携帯音楽端末３に拘止させるだけの操作なので、収納時・使用再開時の手間が小さい。さらに、イヤホン保持具１は、イヤホン２を携帯音楽端末３に巻き付けることを要しないので、イヤホンコード５が断線するおそれを大幅に小さくすることができる。
【００２２】  また、イヤホン保持具１は、イヤホンヘッドの拘止によるコードの絡み防止以外に、携帯音楽端末を把持するのを安定化させる把持部材が装備され、且つイヤホン使用時にはスタンドにも代用出来る機能を持つことを特徴とする。
【００２３】  図１及び２で示すように、イヤホン保持具１は、把持部材７、上挟部材８、下挟部材９らなり、それぞれに雄ホック１０、雌ホック１１のいずれか、上挟部材８には滑り止め部１２を有する。
【００２４】  次に、図３乃至図７を用いて、イヤホン保持具１の具体的な構成について説明する。図３は把持部材の側面図、図４は上挟部材８の側面図、図５は上挟部材９の基部表面図、図６は上挟部材の基部裏面図、図７は下挟部材９の基部表面図（スタンド使用時）である。
【００２５】  把持部材７は、携帯音楽端末３を把持するときに指などを挿通させるための中空状の部材であり、上挟部材基部表面１４に対し、雄ホック１０によって着脱自在に結合される。
【００２６】  上挟部材基部表面１４には、把持部材７と結合させるための雌ホック１１を有し、上挟部材基部裏面１５には下挟部材９との結合のための取着部である二箇所の雄ホック１０を有し、これらの間にはイヤホンコードを保持する際のしっかりとした定着を可能ならしめる滑り止め部１２を有する。
【００２７】  下挟部材基部表面１６には上挟部材８との結合のための二箇所の取着部として雌ホック１１を有する。また、スタンドとして使用する時に、回転させた上挟部材８を所定の位置で停止させるため取着部の斜め横に回動の行き過ぎを防止するストッパー部１７を有する。
【００２８】  材質として、上挟部材８本体は、スタンドとして使用する際に机上に安定的に着座せしめるために柔軟性のある素材が好ましい。また、イヤホンコードの保持のための滑り止め部１２はゴムやポリウレタン樹脂のように弾力性・粘着性のある材質であることが好適である。
【００２９】  図１、図２、図７、図８、及び図９を用いて、イヤホン保持具１の使用方法について説明する。第一の手順として、イヤホン保持具の使用者１９は、携帯音楽端末３のイヤホンジャックにイヤホンプラグ６を差し込んだまま、イヤホンヘッド４の先端をイヤホンジャックに向けた状態で、イヤホンヘッド４の根元部分にあたるイヤホンコード５を携帯音楽端末裏面に装着された下挟部材９の表面上に有する取着部である二カ所の雌ホック１１の間に置く。
【００３０】  第二の手順として、使用者１９は上挟部材基部裏面１５に有する全ての取着部の雄ホック１０をイヤホンコード５が挟まれた状態で下挟部材９に有する取着部の雌ホックに結合させる。この時、イヤホンコード５は上挟部材基部裏面１５に有する滑り止め部によって押止されている。
結果、イヤホンヘッド４は先端をイヤホンジャックに向けたまま、携帯音楽端末裏面上に固定され、イヤホン２は環状態となる。
第三の手順としては、使用者１９は、携帯音楽端末３及びイヤホン２を鞄や衣服に収納する。
【００３１】  第四の手順として、使用者１９は、携帯音楽端末３及びイヤホン２の使用再開にあたり、これらを収納場所から取り出し、上下挟部材の結合状態を解放して携帯音楽端末３及びイヤホン２の使用を再開する。携帯音楽端末３及びイヤホン２が所定場所に収納されている間、イヤホンヘッド４は自在に動かずにイヤホン２の環状態が保持されているため、イヤホン２は結び目（本結び）が決して発生しない。よって使用者１９はスムーズに携帯音楽端末３の使用を再開することができる。さらに上下挟部材の結合状態の解放については、二カ所の取着部両方ではなく、どちらか一方の取着部のみの解放で、イヤホンコード５を取り外すことが可能なことから、スムーズ且つ短時間の再開が実現可能である。また、これは、最初の第二の手順の時にイヤホンコード５を固定する際も、当初から上下挟部材が二カ所とも結合されている状態であれば同様に一方のみの操作で簡単に装着が可能になる。
【００３２】  また、図９にあらわすようにイヤホンの使用、未使用に関係なく、携帯音楽端末３を片手で把持する際に、上挟部材基部表面１４の取着部である雌ホック１１に把持部材７の下部に有する取着部である雄ホック１０を結合せしめ、把持部材７の中空部分に使用者１９の指などを挿通させることによって、落下などの危険性を回避し、より安全で安定した把持状態を実現することができる。
【００３３】  さらに、図７、図８のように上下挟部材の結合ための取着部を二箇所から一箇所のみに変更し、その箇所のホックを回転軸として上挟部材８をストッパー部１７まで回動させ、その端部を机上に着座させることにより、スタンドとして可能となり、手で把持しない状態での動画の鑑賞などに利便性を発揮する。
【００３４】  上記に加えて、図１０のように下挟部材基部表面１６に有する雌ホック１１及び、下挟部材１６に結合し、把持部材７には結合していない状態の上挟部材基部表面１４に有する雌ホック１１は、他の器具、衣類、鞄、家具、部品などの結合可能な形状のホックとの系着により、携帯音楽端末本体を前記の器具らに着脱自在に固定することで利便性を向上できる。例えば飛行機、電車などの交通機関の座席の背もたれの後ろに、こうした結合可能な形状のホックが装備されていれば、非常に簡単にスタンドの代用に出来る。
【００３５】  かかるイヤホン保持具１は、以上のように把持部材７、上挟部材８、下挟部材９がそれぞれ着脱自在であり、状況に応じて取り外して携帯音楽端末を使用したり、未使用時に収納したりすることが可能である。
【００３６】  以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３７】１    イヤホン保持具
２    イヤホン
３    携帯音楽端末
４    イヤホンヘッド
５    イヤホンコード
６    イヤホンプラグ
７    把持部材
８    上挟部材
９    下挟部材
１０  雄ホック
１１  雌ホック
１２  滑り止め部
１３  上挟部材基部側面
１４  上挟部材基部表面
１５  上挟部材基部裏面
１６  下挟部材基部表面
１７  ストッパー部
１８  鞄
１９  イヤホン保持具１の使用者
【図１】
2014078921.tif 000003
【図２】
2014078921.tif 000004
【図３】
2014078921.tif 000005
【図４】
2014078921.tif 000006
【図５】
2014078921.tif 000007
【図６】
2014078921.tif 000008
【図７】
2014078921.tif 000009
【図８】
2014078921.tif 000010
【図９】
2014078921.tif 000011
【図１０】
2014078921.tif 000012